【手続補正書】
【提出日】平成22年8月16日(2010.8.16)
【手続補正１】
【補正対象書類名】特許請求の範囲
【補正対象項目名】全文
【補正方法】変更
【補正の内容】
【特許請求の範囲】
【請求項１】
血管壁の外側部分と該血管壁により規定される内腔との間に経路を作製するためのデバイス；および
該経路を通して手順が実施され得るように、該経路を拡張させるように構成されたシース、
を備え、
該経路は、該血管壁の重なった組織部分の間に規定され、そして該デバイスおよび該シースは、該経路からの除去の際に、該血管に作用する血圧が該重なった組織部分をつぶして自己封入するように構成されている、システム。
【請求項２】
前記デバイスが、前記内腔に導入されて前記血管壁の表面の位置を確認するように構成された第１の導入器を備える、請求項１に記載のシステム。
【請求項３】
前記デバイスが、前記血管壁を実質的に横方向に通して導入されるように構成された第２の導入器をさらに備える、請求項２に記載のシステム。
【請求項４】
前記血管が動脈を含む、請求項１に記載のシステム。
【請求項５】
前記経路が少なくとも１つの傾斜領域を含む、請求項１に記載のシステム。
【請求項６】
デバイスを使用して血管壁に自己封入性経路を形成するためのシステムであって、該デバイスは、送達ガイド、該送達ガイドに結合されるかまたは一体的である第１の導入器、および該送達ガイドから展開可能な第２の導入器を備え、該システムは、
該第１の導入器を該血管壁内に前進させるための手段；
該第１の導入器を用いて該血管壁の一部分の位置を識別するための手段；
該第２の導入器を該血管壁内に前進させて、該血管壁の重なった組織部分の間に規定された経路を形成するための手段；および
該経路を通して手順が実施され得るように、該経路を拡張させるように構成されたシース、
を備え、
該デバイスおよび該シースは、該経路からの除去の際に、該血管に作用する血圧が該重なった組織部分をつぶして自己封入するように構成されている、システム。
【請求項７】
前記血管が動脈を含む、請求項６に記載のシステム。
【請求項８】
前記経路が少なくとも１つの傾斜領域を含む、請求項６に記載のシステム。
【請求項９】
前記血管壁が内腔を規定し、そして前記第１の導入器を有する前記血管壁の部分の位置を識別するための手段が、該第１の導入器を該内腔内に前進させて該血管壁の表面の位置を決定するための手段を備える、請求項６に記載のシステム。
【請求項１０】
前記第１の導入器が前記血管壁の内側表面と接触する際に、前記第２の導入器が、該血管壁内に前進させられるように構成されている、請求項９に記載のシステム。
【請求項１１】
導入器を備えるデバイスを使用して血管壁に自己封入性経路を形成するためのシステムであって、該システムは、
該導入器を該血管壁に通して前進させて、該血管壁に経路を形成するための手段であって、該経路は、該血管壁の重なった組織部分の間に規定される、手段；および
該経路を通して手順が実施され得るように、該経路を拡張させるように構成されたシース、
を備え、
該経路は、少なくとも１つの傾斜領域を含み、そして該デバイスおよび該シースは、該経路からの除去の際に、該血管に作用する血圧が該重なった組織部分をつぶして自己封入するように構成されている、システム。
【請求項１２】
前記血管壁が内腔を規定し、そして前記導入器を前進させるための手段が、前記導入器を該内腔内に前進させるように構成されている、請求項１１に記載のシステム。
【請求項１３】
前記血管壁が、内膜、亜正中、外膜、またはこれらの組み合わせを含む、請求項１２に記載のシステム。
【請求項１４】
前記血管が動脈を含む、請求項１１に記載のシステム。
【請求項１５】
前記経路が、約１．０ｍｍ〜約１０．２ｍｍの直径を有する、請求項１１に記載のシステム。
【請求項１６】
前記デバイスが、アンカー長手方向軸を有するアンカーをさらに備え、そして前記導入器が、該アンカー長手方向軸と導入角を規定する導入長手方向軸を有する、請求項１２に記載のシステム。
【請求項１７】
前記導入角が約１９度以下である、請求項１６に記載のシステム。
【請求項１８】
前記導入角が約１５度以下である、請求項１６に記載のシステム。
【請求項１９】
前記導入角が約５度〜約１０度である、請求項１６に記載のシステム。
【請求項２０】
第１の導入器および第２の導入器を備えるデバイスを使用して、自己封入性動脈切開を形成するためのシステムであって、該システムは、
該第１の導入器を動脈壁に通して該動脈の内腔内へと前進させるための手段；
該第２の導入器を該動脈壁に通して前進させて、該動脈壁に、該動脈壁の重なった組織部分の間に規定された実質的に横方向の経路を形成し、そして該第２の導入器を該動脈の該内腔内に前進させるための手段；および
該経路を通して手順が実施され得るように、該経路を拡張させるように構成されたシース、
を備え、
該デバイスおよび該シースは、該経路からの除去の際に、該動脈に作用する血圧が該重なった組織部分をつぶして自己封入するように構成されている、システム。
【請求項２１】
前記経路が少なくとも１つの傾斜領域を含む、請求項２０に記載のシステム。
【請求項２２】
前記第２の導入器が予め形成された屈曲部を有する、請求項２０に記載のシステム。
【請求項２３】
前記第２の導入器がニードルを備える、請求項２０に記載のシステム。
【請求項２４】
前記ニードルが中空である、請求項２３に記載のシステム。
【請求項２５】
前記第２の導入器が前記動脈の前記内腔の方へと回転するように構成されている、請求項２０に記載のシステム。
【請求項２６】
前記シースが、前記経路を拡張させるために前記第２の導入器を覆うように構成されている、請求項２０に記載のシステム。
【請求項２７】
前記経路が約１．０ｍｍ〜約１０．２ｍｍの直径を有する、請求項２０に記載のシステム。
【請求項２８】
前記第１の導入器が第１の長手方向軸を有し、そして前記第２の導入器が、該第１の長手方向軸と導入角を形成する第２の長手方向軸を有する、請求項２０に記載のシステム。
【請求項２９】
前記導入角が約１９度以下である、請求項２８に記載のシステム。
【請求項３０】
前記導入角が約１５度以下である、請求項２８に記載のシステム。
【請求項３１】
前記導入角が約５度〜約１０度である、請求項２８に記載のシステム。
【請求項３２】
第１の導入器および第２の導入器を備えるデバイスを使用して血管に自己封入性経路を作製するためのシステムであって、該システムは、
該第２の導入器を血管壁に通して前進させて、該血管壁を通る実質的に直径方向の経路を作製するための手段であって、該経路は、該血管壁の重なった組織部分の間に規定される、手段；および
該経路を通して手順が実施されるように該経路を拡張させるように構成されたシース、
を備え、
該デバイスおよび該シースは、該経路からの除去の際に、該血管に作用する血圧が該重なった組織部分をつぶして自己封入するように構成されている、システム。
【請求項３３】
前記第１の導入器を前記血管壁に通して該血管の内腔内に前進させるための手段であって、該第１の導入器の少なくとも一部分が、内腔壁の内側表面の位置を確認するように構成されている、手段、
を備え、
前記第２の導入器を前進させるための手段が、前記第２の導入器を、該内腔壁の該内側表面の上の血管壁に通して前進させて前記経路を作製するための手段を備える、請求項３２に記載のシステム。
【請求項３４】
前記血管の内腔内に送達されるように処方された薬物をさらに備える、請求項３３に記載のシステム。
【請求項３５】
前記血管壁内に送達されるように処方された薬物をさらに備える、請求項３２に記載のシステム。
【請求項３６】
前記血管壁が、内膜、亜正中、外膜、またはこれらの組み合わせを含む、請求項３２に記載のシステム。
【請求項３７】
前記第１の導入器または前記第２の導入器のうちの少なくとも一方が管腔を備え、そして前記システムが、該第１の導入器または該第２の導入器の管腔を通して導入されるように構成されたガイドワイヤーをさらに備える、請求項３３に記載のシステム。
【請求項３８】
前記経路が少なくとも２つの不連続セグメントを含む、請求項３２に記載のシステム。
【請求項３９】
前記経路が、約１．０ｍｍ〜約１０．２ｍｍの直径を有する、請求項３２に記載のシステム。
【請求項４０】
前記第２の導入器を前進させるための手段が、前記第２の導入器を前記血管の内腔内に前進させるように構成されている、請求項３２に記載のシステム。
【請求項４１】
前記第１の導入器が第１の長手方向軸を有し、そして前記第２の導入器が、該第１の長手方向軸と導入角を形成する第２の長手方向軸を有する、請求項４０に記載のシステム。
【請求項４２】
前記導入角が約１９度以下である、請求項４１に記載のシステム。
【請求項４３】
前記導入角が約１５度以下である、請求項４１に記載のシステム。
【請求項４４】
前記導入角が約５度〜約１０度である、請求項４１に記載のシステム。